(57)【要約】      （修正有）【課題】見栄えがよく、薄型化が可能で低コストなキー照光構造を提供する。【解決手段】弾性部材１０４の基部の内側に光源１０２，１０３からの光をキー１０５及び弾性部材１０４に向けて反射する反射部材１０６，１０７を設ける簡単な構成により、基板１００からキー１０５までの高さを変えることなく、キー１０５及び弾性部材１０４に十分な光がムラ無く照射される。【選択図】図１
2008041563.tif 000002
【特許請求の範囲】
【請求項１】
基板上にスイッチを固定し、該スイッチの近傍に照明用の光源を配置し、該スイッチ及び前記光源を覆うように光透過性でほぼΠ字断面形状の弾性部材を設け、該弾性部材の前記スイッチと反対側に光透過性のキーを配置したキー照光構造において、
前記弾性部材の基部の内側に前記光源からの光を前記キー及び前記弾性部材に向けて反射する反射部材を設けたことを特徴とするキー照光構造。
【請求項２】
前記弾性部材は、基部の外側にくの字断面形状の延出部を有し、該延出部の山折り側に反射部材を有し、前記基部の端部に頭部が胴部より大きいキノコ状の突起部を有し、前記延出部の基部側の面に前記胴部の外径とほぼ等しい内径の貫通孔を有し、前記延出部の基部を折り曲げて前記突起部を前記貫通孔に勘合させるようにしたことを特徴とする請求項１記載のキー照光構造。
【請求項３】
反射部材は、光反射性塗料、光反射性インキ、もしくは金属板からなることを特徴とする請求項２記載のキー照光構造。
【請求項４】
前記弾性部材の基部の端部に頭部が胴部より大きいキノコ状の突起部を設け、山折り側に反射部材を有し、一方の面に前記胴部の外径とほぼ等しい内径の貫通孔を有するくの字断面形状の支持部材を、前記弾性部材の内側に位置するように前記貫通孔を前記突起部に勘合させたことを特徴とする請求項１記載のキー照光構造。
【請求項５】
前記弾性部材の基部の端部にネジ孔を形成し、山折り側に反射部材を有し、一方の面に前記ネジ孔とほぼ等しい内径の貫通孔を有するくの字断面形状の支持部材を、前記弾性部材の内側に位置するようにネジ止めしたことを特徴とする請求項１記載のキー照光構造。
【請求項６】
前記弾性部材の基部の端部に、山折り側に反射部材を有するくの字断面形状の支持部材を、前記弾性部材の内側に位置するように接着したことを特徴とする請求項１記載のキー照光構造。
【請求項７】
前記反射部材の前記光源側の反射面の前記基板に対する角度の範囲は４５度以上９０度未満であることを特徴とする請求項１から６のいずれか１項記載のキー照光構造。
【発明の詳細な説明】
【技術分野】
【０００１】
本発明は、キー照光構造に関する。
【背景技術】
【０００２】
従来、携帯端末は、操作部におけるボタンについては、ボタンとしての機能を優先し、キー中央部にタクトスイッチを配置し、そのタクトスイッチの周りに光源（LED）を配置していた。
図７は、従来のキー照光構造を示す構造図である。
同図に示す、キー照光構造は、基板１００上にスイッチ（タクトスイッチ）１０１を固定し、スイッチ１０１の近傍に照明用の光源１０２、１０３を配置し、スイッチ１０１及び光源１０２、１０３を覆うように光透過性でほぼΠ字断面形状の弾性部材（シリコーンゴム部）７００を設け、弾性部材７００のスイッチ１０１と反対側に光透過性のキー１０５を配置したものである。図中１０８は筐体である。
【０００３】
この他例えば、特許文献１〜５参照に記載のキー照光構造が挙げられる。
【特許文献１】特開２００１−１２６５６７号公報
【特許文献２】特開２００２−００８４７８号公報
【特許文献３】特開２００４−２４７１０３号公報
【特許文献４】特開２００５−２７６７５１号公報
【特許文献５】特開平０７−２７３８５４号公報
【発明の開示】
【発明が解決しようとする課題】
【０００４】
しかしながら、タクトスイッチ部に光が反射し、タクトスイッチ部の所の照光が暗くなってしまい、見栄えが悪くなっていた。
【０００５】
この見栄えを良くするためには、照光する樹脂キーと光源（LED）との距離を広くとることで改善を図ってきたが、近年の薄型化に伴い十分な距離が取れなくなった。また、別部品にて光を反射するような構造もあるが、部品点数増加によるコストアップ、キー構造の肥大化になってしまう。さらに、携帯電話のキーにおいて照光機能を有する場合、照光の見栄えが悪くなることがあった。
そこで、本発明の目的は、見栄えがよく、薄型化が可能で低コストなキー照光構造を提供することにある。
【課題を解決するための手段】
【０００６】
上記課題を解決するため、請求項１記載の発明は、基板上にスイッチを固定し、該スイッチの近傍に照明用の光源を配置し、該スイッチ及び前記光源を覆うように光透過性でほぼΠ字断面形状の弾性部材を設け、該弾性部材の前記スイッチと反対側に光透過性のキーを配置したキー照光構造において、前記弾性部材の基部の内側に前記光源からの光を前記キー及び前記弾性部材に向けて反射する反射部材を設けたことを特徴とする。
【０００７】
請求項１記載の発明によれば、弾性部材の基部の内側に光源からの光をキー及び弾性部材に向けて反射する反射部材を設ける簡単な構成により、基板からキーまでの高さを変えることなく、キー及び弾性部材に十分な光が照射される。
【０００８】
請求項２記載の発明は、請求項１記載の発明において、前記弾性部材は、基部の外側にくの字断面形状の延出部を有し、該延出部の山折り側に反射部材を有し、前記基部の端部に頭部が胴部より大きいキノコ状の突起部を有し、前記延出部の基部側の面に前記胴部の外径とほぼ等しい内径の貫通孔を有し、前記延出部の基部を折り曲げて前記突起部を前記貫通孔に勘合させるようにしたことを特徴とする。
【０００９】
請求項２記載の発明によれば、弾性部材は、基部の外側にくの字断面形状の延出部を有し、延出部の山折り側に反射部材を有し、基部の端部に頭部が胴部より大きいキノコ状の突起部を有し、延出部の基部側の面に胴部の外径とほぼ等しい内径の貫通孔を有し、延出部の基部を折り曲げて突起部を貫通孔に勘合させるようにしたことにより、基板からキーまでの高さを変えることなく、キー及び弾性部材に十分な光が照射される。
【００１０】
請求項３記載の発明は、請求項２記載の発明において、反射部材は、光反射性塗料、光反射性インキ、もしくは金属板からなることを特徴とする。
【００１１】
請求項３記載の発明によれば、反射部材は、光反射性塗料、光反射性インキ、もしくは金属板からなることにより、低コスト化が図れる。
【００１２】
請求項４記載の発明は、請求項１記載の発明において、前記弾性部材の基部の端部に頭部が胴部より大きいキノコ状の突起部を設け、山折り側に反射部材を有し、一方の面に前記胴部の外径とほぼ等しい内径の貫通孔を有するくの字断面形状の支持部材を、前記弾性部材の内側に位置するように前記貫通孔を前記突起部に勘合させたことを特徴とする。
【００１３】
請求項４記載の発明によれば、弾性部材の基部の端部に頭部が胴部より大きいキノコ状の突起部を設け、山折り側に反射部材を有し、一方の面に胴部の外径とほぼ等しい内径の貫通孔を有するくの字断面形状の支持部材を、弾性部材の内側に位置するように貫通孔を突起部に勘合させたことにより、基板からキーまでの高さを変えることなく、キー及び弾性部材に十分な光が照射される。
【００１４】
請求項５記載の発明は、請求項１記載の発明において、前記弾性部材の基部の端部にネジ孔を形成し、山折り側に反射部材を有し、一方の面に前記ネジ孔とほぼ等しい内径の貫通孔を有するくの字断面形状の支持部材を、前記弾性部材の内側に位置するようにネジ止めしたことを特徴とする。
【００１５】
請求項５記載の発明によれば、弾性部材の基部の端部にネジ孔を形成し、山折り側に反射部材を有し、一方の面にネジ孔とほぼ等しい内径の貫通孔を有するくの字断面形状の支持部材を、弾性部材の内側に位置するようにネジ止めしたことにより、基板からキーまでの高さを変えることなく、キー及び弾性部材に十分な光が照射される。
【００１６】
請求項６記載の発明は、請求項１記載の発明において、前記弾性部材の基部の端部に、山折り側に反射部材を有するくの字断面形状の支持部材を、前記弾性部材の内側に位置するように接着したことを特徴とする。
【００１７】
請求項６記載の発明によれば、弾性部材の基部の端部に、山折り側に反射部材を有するくの字断面形状の支持部材を、弾性部材の内側に位置するように接着したことにより、基板からキーまでの高さを変えることなく、キー及び弾性部材に十分な光が照射される。
【００１８】
請求項７記載の発明は、請求項１から６のいずれか１項記載の発明において、前記反射部材の前記光源側の反射面の前記基板に対する角度の範囲は４５度以上９０度未満であることを特徴とする。
【００１９】
請求項７記載の発明によれば、反射部材の光源側の反射面の基板に対する角度の範囲は４５度以上９０度未満であることにより、光源からの光がキー及び弾性部材に十分な光が照射される。
【発明の効果】
【００２０】
本発明によれば、弾性部材の基部の内側に光源からの光をキー及び弾性部材に向けて反射する反射部材を設ける簡単な構成により、基板からキーまでの高さを変えることなく、キー及び弾性部材に十分な光がムラ無く照射される。
【発明を実施するための最良の形態】
【００２１】
本発明に係るキー照光構造の一実施の形態について述べる。
図１は、本発明に係るキー照光構造の一実施の形態を示す構造図であり、図２は、図１の外観斜視図である。
本キー照光構造は、照光されるキーとしての樹脂キー部１０５と、キークリックさせるほぼΠ字断面形状の弾性部材としてのシリコーンゴム部１０４とを備えている。
【００２２】
すなわち、本キー照光構造は、基板（例えば、ガラスエポキシプリント基板）１００上にスイッチ（例えば、タクトスイッチ）１０１を固定し、スイッチ１０１の近傍に照明用の光源（例えば、ＬＥＤ）１０２、１０３を配置し、スイッチ１０１及び光源１０２、１０３を覆うように光透過性でほぼΠ字断面形状のシリコーンゴム部１０４を設け、シリコーンゴム部１０４のスイッチ１０１と反対側に光透過性の樹脂からなるキー１０５を配置したキー照光構造であって、シリコーンゴム部１０４の基部の内側に光源１０２、１０３からの光をキー１０５もしくはシリコーンゴム部１０４に向けて反射する反射部材１０６、１０７を設けたものである。図中１０８は筐体である。
【００２３】
反射部材１０６、１０７は、市販されている公知の光反射性塗料、光反射性インキ、もしくは金属板（例えば、クロムメッキ鋼板、アルミニウム板）からなる。
【００２４】
図３（ａ）は、図１に示したキー照光構造に用いられるシリコーンゴム部の一実施形態を示す加工前の断面図であり、図３（ｂ）は、図３（ａ）に示したシリコーンゴム部の加工後の断面図である。尚、図１に示した部材と同様の部材には共通の符号を用いた。
図３（ａ）に示したシリコーンゴム部１０４−１は、シリコーンゴム部本体２００の基部（図では左側）２０１の外側（この場合左側）にくの字断面形状の延出部２０３を有し、延出部２０３の山折り側（この場合左側）に反射部材１０６を有し、基部２０１の端部（この場合下端部）に頭部が胴部より大きいキノコ状の突起部２０２を有し、延出部２０３の基部２０１側の面に胴部の外径とほぼ等しい内径の貫通孔２０４を有している。
図３（ｂ）に示すように、シリコーンゴム部１０４−１は、延出部２０３の基部を矢印Ｐ１方向（図３（ａ）参照）に折り曲げて突起部２０２を貫通孔２０４に勘合させるようにしたものである。加工後の反射部材１０６の光源側の反射面の基板に対する角度θの範囲は４５度以上９０度未満であるのが好ましい。図３（ａ）の右側の延出部も同様である。
【００２５】
シリコーンゴム部１０４−１をこのように構成することにより、図１に示すように光源１０２、１０３から出射した光は直接シリコーンゴム部１０４及びキー１０５を透過すると共に、一部が反射部材１０６、１０７で反射してシリコーンゴム部１０４及びキー１０５を透過する。
図１に示したキー照光構造における基板１００からキー１０５までの高さＨ１は、図７に示したキー照光構造における高さＨ２と実質的に同じであり厚さが増加することはない。
すなわち、本実施の形態によれば、シリコーンゴム部１０４−１の基部から内側にわたって、光源からの光をキー１０５及びシリコーンゴム部に向けて反射する反射部材１０６、１０７を設ける簡単な構成により、基板からキーまでの高さを変えることなく、キー１０５及びシリコーンゴム部１０４−１に十分な光がムラ無く照射される。
【００２６】
図４（ａ）は、図１に示したキー照光構造に用いられるシリコーンゴム部の他の実施形態を示す加工前の断面図であり、図４（ｂ）は、図４（ａ）に示したシリコーンゴム部の加工後の断面図である。
図４（ａ）、（ｂ）に示した実施形態と図３（ａ）、（ｂ）に示した実施形態との相違点は、個別に形成されたくの字形状の支持部材をシリコーンゴム部本体の基部に勘合する点である。
すなわち、シリコーンゴム部１０４−２は、シリコーンゴム部本体の基部２０１の端部（図では左端部）に頭部が胴部より大きいキノコ状の突起部２０２を設け、山折り側に反射部材１０６を有し、一方（この場合左側）の面に胴部の外径とほぼ等しい内径の貫通孔３００を有するくの字断面形状の支持部材３０１を、シリコーンゴム部の内側に位置するように貫通孔３００を突起部２０２に勘合させたものである。図の右側も同様である。
このようにシリコーンゴム部１０４−２を構成しても図１に示したキー照光構造と同様の効果が得られる。
【００２７】
図５（ａ）は、図１に示したキー照光構造に用いられるシリコーンゴム部の他の実施形態を示す加工前の断面図であり、図５（ｂ）は、図５（ａ）に示したシリコーンゴム部の加工後の断面図である。
図５（ａ）、（ｂ）に示した実施形態と図３（ａ）、（ｂ）に示した実施形態との相違点は、個別に形成されたくの字形状の支持部材をシリコーンゴム部本体の基部にネジ止めする点である。
すなわち、シリコーンゴム部１０４−３は、シリコーンゴム部本体２００の一方（この場合左側）の基部２０１の端部にネジ孔４００を形成し、山折り側に反射部材１０６を有し、一方（この場合左側）の面にネジ孔４００とほぼ等しい内径の貫通孔３００を有するくの字断面形状の支持部材３０１を、シリコーンゴム部１０４−３の内側に位置するようにネジ４０１で止めたものである。図の右側も同様である。
このようにシリコーンゴム部１０４−３を構成しても図１に示したキー照光構造と同様の効果が得られる。
【００２８】
図６（ａ）は、図１に示したキー照光構造に用いられるシリコーンゴム部の他の実施形態を示す加工前の断面図であり、図６（ｂ）は、図６（ａ）に示したシリコーンゴム部の加工後の断面図である。
図６（ａ）、（ｂ）に示した実施形態と図３（ａ）、（ｂ）に示した実施形態との相違点は、個別に形成されたくの字形状の支持部材をシリコーンゴム部本体の基部に接着した点である。
すなわち、シリコーンゴム部１０４−４は、シリコーンゴム部本体２００の基部２０１の端部に、山折り側に反射部材を有するくの字断面形状の支持部材４００を、シリコーンゴム部本体１０４−４の内側に位置するように接着したものである。図の右側も同様である。
このようにシリコーンゴム部１０４−４を構成しても図１に示したキー照光構造と同様の効果が得られる。
【００２９】
なお、上述した実施の形態は、本発明の好適な実施の形態の一例を示すものであり、本発明はそれに限定されることなく、その要旨を逸脱しない範囲内において、種々変形実施が可能である。
【産業上の利用可能性】
【００３０】
本発明は、携帯電話端末、ＰＤＡ（Personal Digital Assistants：携帯情報端末）、リモートコントローラ等に利用することができる。
【図面の簡単な説明】
【００３１】
【図１】本発明に係るキー照光構造の一実施の形態を示す構造図である。
【図２】図１の外観斜視図である。
【図３】（ａ）は、図１に示したキー照光構造に用いられるシリコーンゴム部の一実施形態を示す加工前の断面図であり、（ｂ）は、（ａ）に示したシリコーンゴム部の加工後の断面図である。
【図４】（ａ）は、図１に示したキー照光構造に用いられるシリコーンゴム部の他の実施形態を示す加工前の断面図であり、（ｂ）は、（ａ）に示したシリコーンゴム部の加工後の断面図である。
【図５】（ａ）は、図１に示したキー照光構造に用いられるシリコーンゴム部の他の実施形態を示す加工前の断面図であり、（ｂ）は、（ａ）に示したシリコーンゴム部の加工後の断面図である。
【図６】（ａ）は、図１に示したキー照光構造に用いられるシリコーンゴム部の他の実施形態を示す加工前の断面図であり、（ｂ）は、（ａ）に示したシリコーンゴム部の加工後の断面図である。
【図７】従来のキー照光構造を示す構造図である。
【符号の説明】
【００３２】
１００    基板
１０１    スイッチ
１０２、１０３    光源
１０４、１０４−１〜１０４−４    シリコーンゴム部
１０５    キー
１０６、１０７    反射部材
１０８    筐体
【図１】
2008041563.tif 000003
【図２】
2008041563.tif 000004
【図３】
2008041563.tif 000005
【図４】
2008041563.tif 000006
【図５】
2008041563.tif 000007
【図６】
2008041563.tif 000008
【図７】
2008041563.tif 000009